(57)【要約】【課題】構成が複雑になるのを抑制しながら、ユーザの左右の耳のどちら側からもユーザの音声を取得することが可能なマイクロホンを備えたイヤホン装置、および、イヤホン装置を提供する。【解決手段】このイヤホン装置１００は、外部の音声を検出するマイクロホン１４と、音声を出力するスピーカ１３とを含む第１筐体部１１と、第１筐体部１１に取り付けられ、スピーカ１３から出力された音声を放音する第１放音道部１２とを備え、第１放音道部１２は、第１筐体部１１に対する位置の調整により、左耳に装着可能な形状の状態と、右耳に装着可能な形状の状態とを切替可能に構成されている。【選択図】図４
2015133673.tif 000002
【特許請求の範囲】
【請求項１】
外部の音声を検出するマイクロホンと、音声を出力するスピーカとを含む筐体部と、
前記筐体部に取り付けられ、前記スピーカから出力された音声を放音する放音道部とを備え、
前記放音道部は、前記筐体部に対する位置の調整により、左耳に装着可能な形状の状態と、右耳に装着可能な形状の状態とを切替可能に構成されている、マイクロホンを備えたイヤホン装置。
【請求項２】
前記スピーカは、前記放音道部が左耳に装着可能な形状の状態では、左耳用音声を出力するように構成されているとともに、前記放音道部が右耳に装着可能な形状の状態では、右耳用音声を出力するように構成されている、請求項１に記載のマイクロホンを備えたイヤホン装置。
【請求項３】
前記筐体部は、右耳音声用端子と、左耳音声用端子と、スピーカに接続されている音声選択用端子とを含み、
前記音声選択用端子は、前記放音道部が左耳に装着可能な形状の状態では、前記左耳音声用端子と接続されるように構成されているとともに、前記放音道部が右耳に装着可能な形状の状態では、前記右耳音声用端子と接続されるように構成されている、請求項２に記載のマイクロホンを備えたイヤホン装置。
【請求項４】
前記放音道部の前記筐体部に対する位置は、前記放音道部が左耳に装着可能な形状の状態および前記放音道部が右耳に装着可能な形状の状態において、それぞれ段階的に調整可能に構成されている、請求項１〜３のいずれか一項に記載のマイクロホンを備えたイヤホン装置。
【請求項５】
前記放音道部は、前記筐体部に対して、相対的に回動可能に構成されており、
前記放音道部は、前記筐体部に対して回動することにより、前記放音道部の前記筐体部に対する位置の調整を行うことによって、左耳に装着可能な形状の状態と、右耳に装着可能な形状の状態とを切替可能に構成されている、請求項１〜４のいずれか一項に記載のマイクロホンを備えたイヤホン装置。
【請求項６】
前記筐体部は、位置規制部を有し、
前記放音道部の前記筐体部に対する回動する角度は、前記位置規制部によって規制されるように構成されている、請求項１〜５のいずれかに記載のマイクロホンを備えたイヤホン装置。
【請求項７】
音声を出力するスピーカを含む筐体部と、
前記筐体部に取り付けられ、前記スピーカから出力された音声を放音する放音道部とを備え、
前記放音道部は、前記筐体部に対する位置の調整により、左耳に装着可能な形状の状態と、右耳に装着可能な形状の状態とを切替可能に構成されている、イヤホン装置。
【発明の詳細な説明】
【技術分野】
【０００１】
この発明は、マイクロホンを備えたイヤホン装置、および、イヤホン装置に関し、特に、放音道部を含む、マイクロホンを備えたイヤホン装置、および、イヤホン装置に関する。
【背景技術】
【０００２】
従来、放音道部を含む、マイクロホンを備えたイヤホン装置、および、イヤホン装置が知られている（たとえば、特許文献１参照）。
【０００３】
上記特許文献１には、２つのイヤホン本体を備えたステレオイヤホンマイクが開示されている。このステレオイヤホンマイクは、２つのイヤホン本体の両方にマイクロホンが設けられている。また、一方のマイクロホンを動作させた場合（ユーザの一方の耳側から音声を取得する場合）には、マイクロホンが動作している一方のイヤホン用スピーカは動作させないようにするとともに、他方のイヤホン用スピーカを動作させるように構成されている。これにより、マイクロホンが動作している一方のイヤホン用スピーカが動作されないので、エコーの発生を抑制することができる。また、２つのイヤホン用スピーカ（マイクロホン）のうちのどちらのイヤホン用スピーカ（マイクロホン）を使用するかを選択するための選択スイッチが設けられている。これにより、２つのイヤホン用スピーカ（マイクロホン）のうちのどちらのイヤホン用スピーカ（マイクロホン）を使用するかを選択可能に構成されているので、利き耳等のユーザの好みに合わせてイヤホン用スピーカ（マイクロホン）を使用することができる。
【先行技術文献】
【特許文献】
【０００４】
【特許文献１】特開２０１０−１４７９８２号公報
【発明の概要】
【発明が解決しようとする課題】
【０００５】
しかしながら、上記特許文献１のステレオイヤホンマイクでは、左右の耳のどちら側からもユーザの音声を取得可能にするために、２つのイヤホン装置の両方にマイクロホンが設けられているため、その分、構成が複雑になるという問題点がある。
【０００６】
この発明は、上記のような課題を解決するためになされたものであり、この発明の１つの目的は、構成が複雑になるのを抑制しながら、ユーザの左右の耳のどちら側からもユーザの音声を取得することが可能なマイクロホンを備えたイヤホン装置、および、イヤホン装置を提供することである。
【課題を解決するための手段】
【０００７】
この発明の第１の局面によるマイクロホンを備えたイヤホン装置は、外部の音声を検出するマイクロホンと音声を出力するスピーカとを含む筐体部と、筐体部に取り付けられ、スピーカから出力された音声を放音する放音道部とを備え、放音道部は、筐体部に対する位置の調整により、左耳に装着可能な形状の状態と、右耳に装着可能な形状の状態とを切替可能に構成されている。
【０００８】
この発明の第１の局面によるマイクロホンを備えたイヤホン装置では、上記のように、放音道部を、筐体部に対する位置の調整により、左耳に装着可能な形状の状態と、右耳に装着可能な形状の状態とを切替可能に構成する。これにより、マイクロホンを備えたイヤホン装置を左耳に装着可能な形状の状態にして、左耳にマイクロホンを備えたイヤホン装置を装着した場合には、右耳に装着するイヤホン装置は、マイクロホンを設ける必要がない。また、マイクロホンを備えたイヤホン装置を右耳に装着可能な形状の状態にして、右耳にマイクロホンを備えたイヤホン装置を装着した場合には、左耳に装着するイヤホン装置は、マイクロホンを設ける必要がない。すなわち、左右の耳に装着するイヤホン装置の両方にマイクロホンを設ける必要がない分、構成を簡略化しながら、ユーザの左右の耳のどちら側からもユーザの音声を取得することができる。
【０００９】
上記第１の局面によるマイクロホンを備えたイヤホン装置において、好ましくは、スピーカは、放音道部が左耳に装着可能な形状の状態では、左耳用音声を出力するように構成されているとともに、放音道部が右耳に装着可能な形状の状態では、右耳用音声を出力するように構成されている。このように構成すれば、２つのイヤホン装置からステレオ音声を出力することができる。
【００１０】
この場合、好ましくは、筐体部は、右耳音声用端子と、左耳音声用端子と、スピーカに接続されている音声選択用端子とを含み、音声選択用端子は、放音道部が左耳に装着可能な形状の状態では、左耳音声用端子と接続されるように構成されているとともに、放音道部が右耳に装着可能な形状の状態では、右耳音声用端子と接続されるように構成されている。このように構成すれば、容易に、スピーカを、放音道部が左耳に装着可能な形状の状態では、左耳用音声を出力するように構成することができるとともに、放音道部が右耳に装着可能な形状の状態では、右耳用音声を出力するように構成することができる。
【００１１】
上記第１の局面によるマイクロホンを備えたイヤホン装置において、好ましくは、放音道部の筐体部に対する位置は、放音道部が左耳に装着可能な形状の状態および放音道部が右耳に装着可能な形状の状態において、それぞれ段階的に調整可能に構成されている。このように構成すれば、イヤホン装置の形状を、ユーザの耳に応じた形状に調整することができる。
【００１２】
上記第１の局面によるマイクロホンを備えたイヤホン装置において、好ましくは、放音道部は、筐体部に対して、相対的に回動可能に構成されており、放音道部は、筐体部に対して回動することにより、放音道部の筐体部に対する位置の調整を行うことによって、左耳に装着可能な形状の状態と、右耳に装着可能な形状の状態とを切替可能に構成されている。このように構成すれば、放音道部を、筐体部に対して、相対的に回動することによって、容易に、放音道部を、左耳に装着可能な形状の状態と、右耳に装着可能な形状の状態とに切り替えることができる。
【００１３】
上記第１の局面によるマイクロホンを備えたイヤホン装置において、好ましくは、筐体部は、位置規制部を有し、放音道部の筐体部に対する回動する角度は、位置規制部によって規制されるように構成されている。このように構成すれば、放音道部の筐体部に対する回動する角度が規制されるので、放音道部と筐体部との相対的な位置が、ユーザの意図しない状態に変化してしまうのを抑制することができる。
【００１４】
この発明の第２の局面によるイヤホン装置は、音声を出力するスピーカを含む筐体部と、筐体部に取り付けられ、スピーカから出力された音声を放音する放音道部とを備え、放音道部は、筐体部に対する位置の調整により、左耳に装着可能な形状の状態と、右耳に装着可能な形状の状態とを切替可能に構成されている。
【００１５】
この発明の第２の局面によるイヤホン装置では、上記のように、放音道部を、筐体部に対する位置の調整により、左耳に装着可能な形状の状態と、右耳に装着可能な形状の状態とを切替可能に構成する。これにより、左耳にマイクロホンを備えたイヤホン装置を装着した場合には、右耳に装着するイヤホン装置は、右耳に装着可能な形状の状態にして装着することができるので、イヤホン装置にマイクロホンを設ける必要がない。また、右耳にマイクロホンを備えたイヤホン装置を装着した場合には、左耳に装着するイヤホン装置は、左耳に装着可能な形状の状態にして装着することができるので、イヤホン装置にマイクロホンを設ける必要がない。すなわち、左右の耳に装着するイヤホン装置の両方にマイクロホンを設ける必要がない分、構成を簡略化しながら、ユーザの左右の耳のどちら側からもユーザの音声を取得することができる。
【発明の効果】
【００１６】
本発明によれば、上記のように、構成が複雑になるのを抑制しながら、ユーザの左右の耳のどちら側からもユーザの音声を取得することが可能なマイクロホンを備えたイヤホン装置、および、イヤホン装置を提供することができる。
【図面の簡単な説明】
【００１７】
【図１】本発明の第１実施形態によるイヤホン装置の全体構成を示した図である。
【図２】本発明の第１実施形態によるイヤホン装置の全体構成を示したブロック図である。
【図３】本発明の第１実施形態によるイヤホン装置の左耳および右耳に装着可能な形状の状態を説明するための図である。
【図４】本発明の第１実施形態による筐体本体部の一部を露出させた状態のマイクロホンを備えたイヤホン装置の斜視図である。
【図５】本発明の第１実施形態によるイヤホン装置の平面図および断面図である。
【図６】本発明の第１実施形態による筐体本体部の一部を露出させた状態のイヤホン装置の斜視図である。
【図７】本発明の第１実施形態による位置規制リブ部による筐体回動部の位置規制を説明するための図である。
【図８】本発明の第２実施形態による筐体本体部の一部を露出させた状態のマイクロホンを備えたイヤホン装置の斜視図である。
【図９】本発明の第２実施形態による位置規制部による筐体可動部の位置規制を説明するための図である。
【図１０】本発明の第３実施形態によるイヤホン装置の平面図および断面図である。
【図１１】本発明の変形例における筐体本体部の斜視図である。
【発明を実施するための形態】
【００１８】
以下、本発明を具体化した実施形態を図面に基づいて説明する。
【００１９】
（第１実施形態）
図１〜図７を参照して、本発明の第１実施形態によるイヤホン装置１００の構成を説明する。
【００２０】
本発明の第１実施形態によるイヤホン装置１００は、図１に示すように、第１イヤホン装置１と、第２イヤホン装置２と、第１イヤホン装置１と携帯電話機器３とを接続するためのケーブル４と、第２イヤホン装置２と携帯電話機器３とを接続するためのケーブル５とを備える。ケーブル４は、図２に示すように、左耳音声用ケーブル４１と、右耳音声用ケーブル４２と、スピーカ接地用ケーブル４３と、マイクロホン音声用ケーブル４４と、マイクロホン接地用ケーブル４５とを含む。また、ケーブル５は、図２に示すように、左耳音声用ケーブル５１と、右耳音声用ケーブル５２と、スピーカ接地用ケーブル５３とを含む。
【００２１】
ここで、第１実施形態では、図３に示すように、第１イヤホン装置１は、ユーザの耳の穴に差し込んで装着が可能（いわゆる、カナル型）に構成されており、第１筐体部１１と第１放音道部１２とを含む。また、第２イヤホン装置２は、第１イヤホン装置１と同様にカナル型に構成されており、第２筐体部２１と第２放音道部２２とを含む。そして、第１放音道部１２は、第１筐体部１１に対する位置の調整により、左耳に装着可能な形状の状態と、右耳に装着可能な形状の状態とを切替可能に構成されている。また、第２放音道部２２は、第１放音道部１２と同様に、第２筐体部２１に対する位置の調整により、左耳に装着可能な形状の状態と、右耳に装着可能な形状の状態とを切替可能に構成されている。
【００２２】
具体的には、図３に示すように、第１イヤホン装置１が左耳に装着可能な形状の状態（図３（ａ）および（ｃ）参照）では、第１放音道部１２は、第１筐体部１１に対して、一方側（矢印Ｘ１方向側）に位置するように構成されている一方、右耳に装着可能な形状の状態（図３（ｂ）および（ｄ）参照）では、第１放音道部１２は、第１筐体部１１に対して、他方側（矢印Ｘ２方向側）に位置するように構成されている。また、第２イヤホン装置２が左耳に装着可能な形状の状態（図３（ａ）および（ｃ）参照）では、第１イヤホン装置１と同様に、第２放音道部２２は、第２筐体部２１に対して、一方側（矢印Ｘ１方向側）に位置するように構成されている一方、右耳に装着可能な形状の状態（図３（ｂ）および（ｄ）参照）では、第２放音道部２２は、第２筐体部２１に対して、他方側（矢印Ｘ２方向側）に位置するように構成されている。
【００２３】
また、図２に示すように、第１イヤホン装置１は、第１筐体部１１と、第１放音道部１２とを備え、第１筐体部１１は、スピーカ１３と、マイクロホン１４と、左耳音声用端子１５と、右耳音声用端子１６とを含む。また、スピーカ１３は、スピーカ本体部１３ａと、音声選択用端子１３ｂと、スピーカ接地用端子１３ｃとを含み、音声選択用端子１３ｂを介して、音声信号を取得して、取得した音声信号を出力するように構成されている。そして、第１放音道部１２は、出力された音声を伝搬して、ユーザの耳に放音するように構成されている。また、第１放音道部１２は、外部の音声（たとえば、ユーザの通話音声）を伝搬させるように構成されており、伝搬された外部の音声は、マイクロホン１４によって検出されるように構成されている。そして、マイクロホン１４は、検出した外部の音声を音声信号（ユーザ側通話音声信号）に変換するように構成されている。また、マイクロホン１４は、マイクロホン本体部１４ａと、マイクロホン音声信号端子１４ｂと、マイクロホン接地用端子１４ｃとを含み、変換された音声信号（ユーザ側通話音声信号）をマイクロホン音声信号端子１４ｂから、ケーブル４を介して、携帯電話機器３に送信するように構成されている。
【００２４】
そして、図２に示すように、第２イヤホン装置２は、第２筐体部２１と、第２放音道部２２とを備え、第２筐体部２１は、スピーカ２３と、左耳音声用端子２４と、右耳音声用端子２５とを含む。また、スピーカ２３は、スピーカ本体部２３ａと、音声選択用端子２３ｂと、接地用端子２３ｃとを含み、音声選択用端子２３ｂを介して、音声信号を取得して、取得した音声信号を出力するように構成されている。そして、第２放音道部２２は、出力された音声を伝搬して、ユーザの耳に放音するように構成されている。
【００２５】
そして、図２に示すように、たとえば、携帯電話機器３などの制御機器は、ＣＰＵ（Ｃｅｎｔｒａｌ  Ｐｒｏｃｅｓｓｉｎｇ  Ｕｎｉｔ）３１と、音声信号出力部３２と、音声信号入力部３３と、フラッシュメモリなどにより構成されるメモリ３４と、他の電話機器との通話などの通信可能な通信部３５と、ユーザによるタッチ操作を受け付け可能に構成されているとともに、表示部を含むタッチスクリーン３６とを備える。
【００２６】
そして、第１実施形態では、図４および図５に示すように、第１放音道部１２は、第１筐体部１１に対して、相対的に回動可能に構成されており、第１放音道部１２は、第１筐体部１１に対して回動することにより、第１放音道部１２の第１筐体部１１に対する位置の調整を行うことによって、左耳に装着可能な形状の状態（図４（ａ）参照）と、右耳に装着可能な形状の状態（図４（ｂ）参照）とを切替可能に構成されている。具体的には、第１放音道部１２は、イヤーピース１２ａと、開口部１２ｂと、円筒部１２ｃとを含む。そして、イヤーピース１２ａは、弾性材料を含み、ドーム形状に形成されているとともに、弾性変形しながらユーザの耳（外耳道）に装着されるように構成されている。また、開口部１２ｂは、イヤーピース１２ａの外耳道側に円形形状に形成されており、ユーザの耳に音声を放音するように構成されている。また、円筒部１２ｃは、スピーカ１３から出力された音声を開口部１２ｂから放音するために円筒形状に構成されている。
【００２７】
そして、図４および図５に示すように、第１筐体部１１は、筐体本体部１１ａと、筐体回動部１１ｂと、フック部１１ｃと、取り付け部１１ｄとが設けられている。そして、筐体回動部１１ｂは、樹脂等を含む材料により円形形状に形成されており、筐体回動部１１ｂの第１放音道部１２側（ユーザの外耳道側）において、円筒部１２ｃと接続されるとともに、筐体本体部１１ａ側において、フック部１１ｃと接続されるように構成されている。そして、筐体回動部１１ｂは、筐体本体部１１ａに対して、回動（図５の矢印Ａ方向に回動）可能に構成されている。また、筐体回動部１１ｂの筐体本体部１１ａ側には、取り付け部１１ｄが設けられている。取り付け部１１ｄは、スピーカ１３およびマイクロホン１４の形状に沿うような形状に構成されており、スピーカ１３およびマイクロホン１４と接触して、筐体回動部１１ｂと一体的に回動可能にするように構成されている（図５（ｂ）参照）。そして、フック部１１ｃは、円形形状を有し、上方に突出するよう形成されるとともに、円周状の溝部を有するように形成されており、筐体本体部１１ａに係合するように構成されている。そして、フック部１１ｃと筐体本体部１１ａとが係合することによって、筐体回動部１１ｂと筐体本体部１１ａとが回動することができるとともに、筐体回動部１１ｂと筐体本体部１１ａとは、離間しないように構成されている。
【００２８】
そして、図４（ａ）に示すように、スピーカ１３は、スピーカ本体部１３ａと、音声選択用端子１３ｂと、スピーカ接地用端子１３ｃとが設けられている。スピーカ接地用端子１３ｃは、円柱形状を有し、スピーカ接地用ケーブル４３と接続されている。また、左耳用音声端子１５と右耳用音声端子１６とは、筐体本体部１１ａのスピーカ本体部１３ａ側に固定されており、円形形状の筐体回動部１１ｂの同心円上に円弧形状に形成されている。そして、第１イヤホン装置１が左耳に装着可能な形状の状態では、左耳用音声端子１５と、音声選択用端子１３ｂとが接触するように構成されている。そして、スピーカ１３は、左耳用音声端子１５と、音声選択用端子１３ｂとが導通することによって、左耳用音声ケーブル４１を介して、左耳用音声データを受信するように構成されており、受信した左耳用音声データを出力するように構成されている。
【００２９】
一方、図４（ｂ）に示すように、第１イヤホン装置１が左耳に装着可能な形状の状態から、第１イヤホン装置１が右耳に装着可能な形状の状態に切り替えられた場合には、スピーカ本体部１３ａに設けられた音声選択用端子１３ｂが筐体回動部１１ｂと一体的に回動することによって、筐体本体部１１ａに固定して設けられている右耳用音声端子１６と、音声選択用端子１３ｄとが接触するように構成されている。そして、スピーカ１３は、右耳用音声端子１６と、音声選択用端子１３ｂとが導通することによって、右耳用音声ケーブル４２を介して、右耳用音声データを受信するように構成されており、受信した右耳用音声データを出力するように構成されている。
【００３０】
また、図４および図５に示すように、第１イヤホン装置１が左耳に装着可能な形状の状態と第１イヤホン装置１が右耳に装着可能な形状の状態とのどちらの状態においても、マイクロホン音声用端子１４ｂは、マイクロホン音声用ケーブル４４と接続されているとともに、マイクロホン接地用端子１４ｃは、マイクロホン接地用ケーブル４５と接続されている。すなわち、第１イヤホン装置１が左耳に装着可能な形状の状態と第１イヤホン装置１が右耳に装着可能な形状の状態とのどちらの状態においても、マイクロホン１４は、上述した検出したユーザ側通話音声データをケーブル４を介して、携帯電話機器３に送信するように構成されている。
【００３１】
次に、図６に示すように、マイクロホンを備えないイヤホン装置である第２イヤホン装置２では、マイクロホンを備えるイヤホン装置である第１イヤホン装置１と異なり、マイクロホン本体１４ａと、マイクロホン音声用端子１４ｂと、マイクロホン接地用端子１４ｃとを含まないように構成されており、その他の構成は、第１イヤホン装置１と同様である。
【００３２】
ここで、第１実施形態では、図７に示すように、第１筐体部１１は、位置規制リブ部１１ｆおよび１１ｇを有し、第１放音道部１２の第１筐体部１１に対する回動する角度は、位置規制リブ部１１ｆおよび１１ｇによって規制されるように構成されている。具体的には、図７に示すように、筐体本体部１１ａには、筐体本体部１１ａの内部側に突出するように形成された位置規制リブ部１１ｆおよび１１ｇが設けられているとともに、筐体本体部１１ａの内部側の円周上に沿うように形成され、一定の間隔を開けて、突出するように形成されている位置調整リブ部１１ｈ〜１１ｊが設けられている。そして、筐体回動部１１ｂには、上方および外部側に突出するように形成されている回動側リブ部１１ｅが設けられている。
【００３３】
そして、図７（ａ）に示すように、回動側リブ部１１ｅは、筐体回動部１１ｂが回動する際に、位置規制リブ部１１ｆと位置調整リブ部１１ｈとの間の凹部（図７の点線Ｂ上）、または、位置調整リブ部１１ｈと位置調整リブ部１１ｉとの間の凹部に嵌り合うことによって、第１イヤホン装置１は、左耳に装着可能な形状の状態になる。また、図７（ｂ）に示すように、回動側リブ部１１ｅは、位置規制リブ部１１ｇと位置調整リブ部１１ｊとの間の凹部（図７の点線Ｃ上）、または、位置調整リブ部１１ｊと位置調整リブ部１１ｉとの間の凹部に嵌り合うことによって、第１イヤホン装置１は、右耳に装着可能な形状の状態にされる。また、位置規制リブ部１１ｆおよび１１ｇの内部側に突出する大きさは、位置調整リブ部１１ｈと位置調整リブ部１１ｉよりも大きく形成されている。これにより、回動側リブ部１１ｅの突出された部分と、位置規制リブ部１１ｆまたは１１ｇの突出された部分とが接触することによって、回動側リブ部１１ｅは、位置規制リブ部１１ｆおよび１１ｇを越えて回動できないように構成されている。なお、上記の第２イヤホン装置２における位置規制リブ部の構成は、上記第１イヤホン装置１における位置規制リブ部１１ｆおよび１１ｇと同様に構成されている。
【００３４】
また、第１実施形態では、図７に示すように、第１放音道部１２の第１筐体部１１に対する位置は、第１放音道部１２が左耳に装着可能な形状の状態および第１放音道部１２が右耳に装着可能な形状の状態において、それぞれ段階的に調整可能に構成されている。具体的には、図７（ａ）に示すように、回動側リブ部１１ｅを、位置規制リブ部１１ｆと位置調整リブ部１１ｈとの間の凹部（図７の点線Ｂ上）、または、位置調整リブ部１１ｈと位置調整リブ部１１ｉとの間の凹部のいずれかに、回動して嵌るように構成されている。また、回動側リブ部１１ｅを、位置規制リブ部１１ｇと位置調整リブ部１１ｊとの間の凹部（図７の点線Ｃ上）、または、位置調整リブ部１１ｊと位置調整リブ部１１ｉとの間の凹部に嵌るように回動することによって、第１イヤホン装置１は、左耳および右耳に装着可能な形状の状態で調整可能であるとともに、さらに詳細に調整可能に構成されている。
【００３５】
次に、図２を参照して、携帯電話機器３と他の電話機器とが通話状態である場合におけるイヤホン装置１００の動作を説明する。
【００３６】
図２に示すように、携帯電話機器３と他の電話機器とが通話状態である場合には、携帯電話機器３のＣＰＵ３１は、通信部３５を介して、他の電話機器から相手側通話音声信号を取得するとともに、通信部３５を介して、音声信号入力部３３から取得したユーザ側通話音声信号を他の電話機器に送信する。そして、携帯電話機器３のＣＰＵ３１は、取得した相手側通話音声信号を携帯電話機器３の音声信号出力部３２に伝送する。そして、携帯電話機器３のＣＰＵ３１は、音声信号出力部３２から第２イヤホン装置２のスピーカ２３へは、相手側通話音声信号を出力させる制御を行う一方、第１イヤホン装置１のスピーカ１３へは、相手側通話音声信号を出力させない制御を行う。すなわち、マイクロホンを備えた第１イヤホン装置１のスピーカ１３からは、相手側通話音声信号を出力せずに、マイクロホンを備えない第２イヤホン装置２のスピーカ２３からは、相手側通話音声信号を出力する。
【００３７】
次に、図２を参照して、携帯電話機器３によるステレオ音声データ再生状態である場合におけるイヤホン装置１００の動作を説明する。
【００３８】
図２に示すように、携帯電話機器３のタッチスクリーン３６へのユーザの操作によって、携帯電話機器３のＣＰＵ３１は、メモリ３４に記憶されているステレオ音声データの読み出しを行い、読み出したステレオ音声データを音声信号出力部３２に送信する。
【００３９】
そして、携帯電話機器３のＣＰＵ３１は、音声信号出力部３２に、ステレオ音声データのうち左耳用音声データを左耳用音声ケーブル４１および５１を介して出力させるとともに、ステレオ音声データのうち右耳用音声データを右耳用音声ケーブル４２および５２を介して出力させる。
【００４０】
ここで、第１実施形態では、図２に示すように、第１イヤホン装置１のスピーカ１３は、音声選択用端子１３ｂと左耳用音声端子１５とが接続されている場合には、音声信号出力部３２から出力された左耳用音声データを受信して、左耳用音声を出力する。また、音声選択用端子１３ｂと右耳用音声端子１６とが接続されている場合には、音声信号出力部３２から出力された右耳用音声データを受信して、右耳用音声を出力する。
【００４１】
また、第１実施形態では、図２に示すように、第２イヤホン装置２のスピーカ２３は、第１イヤホン装置１のスピーカ１３と同様に、音声選択用端子２３ｂと左耳用音声端子２５とが接続されている場合には、音声信号出力部３２から出力された左耳用音声データを受信して、左耳用音声を出力する。また、音声選択用端子２３ｂと右耳用音声端子２６とが接続されている場合には、音声信号出力部３２から出力された右耳用音声データを受信して、右耳用音声を出力する。
【００４２】
第１実施形態では、以下のような効果を得ることができる。
【００４３】
第１実施形態では、上記のように、第１放音道部１２を、第１筐体部１１に対する位置の調整により、左耳に装着可能な形状の状態と、右耳に装着可能な形状の状態とを切替可能に構成する。これにより、マイクロホン１４を備えた第１イヤホン装置１を左耳に装着可能な形状の状態にして、左耳にマイクロホン１４を備えた第１イヤホン装置１を装着した場合には、右耳に装着する第２イヤホン装置２は、マイクロホンを設ける必要がない。また、マイクロホン１４を備えた第１イヤホン装置１を右耳に装着可能な形状の状態にして、右耳にマイクロホン１４を備えた第１イヤホン装置１を装着した場合には、左耳に装着する第２イヤホン装置２は、マイクロホンを設ける必要がない。すなわち、左右の耳に装着するイヤホン装置１００の両方にマイクロホン１４を設ける必要がない分、構成を簡略化しながら、ユーザの左右の耳のどちら側からもユーザの音声を取得することができる。
【００４４】
また、第１実施形態では、上記のように、スピーカ１３を、第１放音道部１２が左耳に装着可能な形状の状態では、左耳用音声を出力するように構成するとともに、第１放音道部１２が右耳に装着可能な形状の状態では、右耳用音声を出力するように構成する。これにより、２つのイヤホン装置からステレオ音声を出力することができる。
【００４５】
また、第１実施形態では、上記のように、第１筐体部１１は、右耳音声用端子１６と、左耳音声用端子１５と、スピーカ１３に接続されている音声選択用端子１３ｂとを含み、音声選択用端子１３ｂは、第１放音道部１２が左耳に装着可能な形状の状態では、左耳音声用端子１５と接続されるように構成するとともに、第１放音道部１２が右耳に装着可能な形状の状態では、右耳音声用端子１６と接続されるように構成する。これにより、容易に、スピーカ１３を、第１放音道部１２が左耳に装着可能な形状の状態では、左耳用音声を出力するように構成することができるとともに、第１放音道部１２が右耳に装着可能な形状の状態では、右耳用音声を出力するように構成することができる。
【００４６】
また、第１実施形態では、上記のように、第１放音道部１２の第１筐体部１に対する位置を、第１放音道部１２が左耳に装着可能な形状の状態および第１放音道部１２が右耳に装着可能な形状の状態において、それぞれ段階的に調整可能に構成する。これにより、イヤホン装置の形状を、ユーザの耳に応じた形状に調整することができる。
【００４７】
また、第１実施形態では、上記のように、第１放音道部１２を、第１筐体部１１に対して、相対的に回動可能に構成して、第１放音道部１２を、第１筐体部１１に対して回動することにより、第１放音道部１２の第１筐体部１１に対する位置の調整を行うことによって、左耳に装着可能な形状の状態と、右耳に装着可能な形状の状態とを切替可能に構成する。これにより、第１放音道部１２を、第１筐体部１１に対して、相対的に回動することによって、容易に、第１放音道部１２を、左耳に装着可能な形状の状態と、右耳に装着可能な形状の状態とに切り替えることができる。
【００４８】
また、第１実施形態では、上記のように、第１筐体部１１を、位置規制リブ部１１ｆおよび１１ｇを有し、第１放音道部１２の第１筐体部１１に対する回動する角度は、位置規制リブ部１１ｆおよび１１ｇによって規制されるように構成する。これにより、第１放音道部１２の第１筐体部１１に対する回動する角度が規制されるので、第１放音道部１２と第１筐体部との相対的な位置が、ユーザの意図しない状態に変化してしまうのを抑制することができる。
【００４９】
（第２実施形態）
次に、図２、図８および図９を参照して、第２実施形態のイヤホン装置１０１について説明する。この第２実施形態では、第１放音道部を、第１筐体部に対して回動させることにより、左耳に装着可能な形状の状態と、右耳に装着可能な形状の状態とを切替可能に構成されていた第１実施形態によるイヤホン装置１００とは異なり、筐体可動部を可動させることによって、第１放音道部は、左耳に装着可能な形状の状態と、右耳に装着可能な形状の状態とを切替可能に構成されている。
【００５０】
図２に示すように、第２実施形態のイヤホン装置１０１は、第１イヤホン装置６を含み、第１イヤホン装置６には、第１筐体部６１と、第１放音道部６２とが設けられている。そして、第１筐体部６１は、左耳用音声用端子６３と、右耳音声用端子６４とを含む。また、後述する第１放音道部６２の第１筐体部６１に対して延びる方向に応じて、スピーカ１３の音声選択用端子１３ｂは、左耳用音声用端子６３と、右耳音声用端子６４とのうちのいずれかに接続されるように構成されている。
【００５１】
具体的には、図８に示すように、第１筐体部６１は、筐体本体部６１ａと、筐体可動部６１ｂと、可動支持部６１ｃとを含み、筐体可動部６１ｂは、筐体本体部６１ａの内面に沿うように可動可能に構成されている。そして、筐体可動部６１ｂは、第１放音道部６２と、スピーカ１３と、マイクロホン１４と一体的に可動するように（図８矢印Ｄ方向）構成されており、筐体本体部６１ａの一方側（図８（ａ）の符号Ｅ参照）または他方側（図８（ｂ）の符号Ｆ参照）に沿って筐体可動部６１ｂの一方端部が上昇するとともに、他方端部が降下するように可動することによって、第１放音道部６２が第１筐体部６１に対して延びる向き（図８矢印Ｇ方向または矢印Ｈ方向）を切り替えるとともに、筐体可動部６１ｂと一体的に可動するスピーカ１３の音声選択用端子１３ｂの位置を変化させるように構成されている。そして、第１放音道部６２が第１筐体部６１に対して延びる向きによって、左耳に装着可能な形状の状態（図８（ａ）参照）と右耳に装着可能な形状の状態（図８（ｂ）参照）とが切り替わる。また、スピーカ１３の音声選択用端子１３ｂの位置を変化させることによって、左耳用音声用端子６３と、右耳音声用端子６４とのいずれかに接続される。そして、音声選択用端子１３ｂが左耳用音声用端子６３と接続されている場合には、スピーカ１３からは、左耳用音声が出力されるように構成されており、音声選択用端子１３ｂが右耳用音声用端子６４と接続されている場合には、スピーカ１３からは、右耳用音声が出力されるように構成されている。
【００５２】
また、図９に示すように、第１筐体部６１の可動支持部６１ｃは、位置規制部６１ｅを有し、第１放音道部６２の第１筐体部６１に対する可動する範囲は、位置規制部６１ｅによって規制されるように構成されている。具体的には、位置規制部６１ｅは、可動支持部６１ｃに設けられ、互いに一部分がオーバーラップする２つの円形の開口部である。第１放音道部６２が、左耳に装着可能な形状の状態と右耳に装着可能な形状の状態とにおいて、第１放音道部６２の円筒部６２ａが、可動支持部６１ｃの開口部に沿うように構成されている。そして、第１放音道部６２が左耳に装着可能な形状の状態（図９（ａ）参照）には、位置規制部６１ｅと第１放音道部６２の円筒部６２ａとが接触することによって、円筒部６２ａは、位置規制部６１ｅを越えて可動しないように構成されている。一方、第１放音道部６２が右耳に装着可能な形状の状態（図９（ｂ）参照）には、位置規制部６１ｅと円筒部６２ａとが接触することによって、円筒部６２ａは、位置規制部６１ｅを越えて可動しないように構成されている。
【００５３】
そして、図９に示すように、可動支持部６１ｃの２つの円形の開口部がオーバーラップする部分は、開口部の内側に突出するように構成されている。これにより、突出された部分と円筒部６２ａとが接触することにより、第１放音道部６２が左耳に装着可能な形状の状態と、第１放音道部６２が右耳に装着可能な形状の状態とが、ユーザがイヤホン装置１０１を装着中に、容易に切り替わるのを抑制するように構成されている。また、第２実施形態によるイヤホン装置１０１のその他の構成は、第１実施形態におけるイヤホン装置１００と同様である。
【００５４】
第２実施形態では、以下のような効果を得ることができる。
【００５５】
第２実施形態では、上記のように、第１筐体部６１は、筐体可動部６１ｂを含み、筐体可動部６１ｂを、第１放音道部６２と一体的に形成されるとともに筐体本体部６１ａの内側の形状に沿って可動させるように構成する。これにより、第１イヤホン装置６は、容易に、第１放音道部６２をユーザにより把持されることによって、左耳に装着可能な形状の状態と、右耳に装着可能な形状の状態とを切替えることができる。また、第２実施形態によるイヤホン装置１０１のその他の効果は、第１実施形態におけるイヤホン装置１００と同様である。
【００５６】
（第３実施形態）
次に、図２および図１０を参照して、第３実施形態のイヤホン装置１０２について説明する。この第３実施形態では、第１筐体部のフック部を筐体本体部に係合させることによって、筐体回動部を筐体本体部から離間せずに回動可能に構成されていた第１実施形態によるイヤホン装置１００とは異なり、筐体回動部の回動軸を貫通するようにネジ部およびナット部を設けることによって、筐体回動部を筐体本体部から離間せずに回動可能に構成されている。
【００５７】
図２および図１０に示すように、第３実施形態のイヤホン装置１０２は、第１筐体部７１を含む第１イヤホン装置７が設けられている。そして、第１筐体部７１は、筐体本体部７１ａと、筐体回動部７１ｂと、支持部７１ｃと、ネジ部７２ａと、バネ部７２ｂと、ナット部７２ｃとを含む。ネジ部７２ａは、筐体回動部７１ｂの中央部（図１０点線Ｉ）を筐体本体部７１ａ側から筐体回動部７１ｂに向かって、貫通するように設けられている。また、支持部７１ｃは、筐体本体部７１ａの内部の一方側の壁から他方側の壁に向かって十字形状形成され、十字形状の中心部分には、ネジ部７２ａの軸部を通すための開口が設けられている。そして、バネ部７２ｂは、板バネ状に形成されており、ネジ部７２ａの頭部と支持部７１ｃとの間に設けられ、ネジ部７２ａの頭部と支持部７１ｃとに弾性接触するように構成されている。また、ナット部７２ｃは、筐体回動部７１ｂと接触するとともに、ネジ部７２ａの先端部と螺合するように構成され、筐体回動部７１ｂと筐体本体部７１ａとが離間しないように構成されている。また、第３実施形態によるイヤホン装置１０２のその他の構成は、第１実施形態におけるイヤホン装置１００と同様である。
【００５８】
第３実施形態では、以下のような効果を得ることができる。
【００５９】
第３実施形態では、上記のように、第１筐体部７１に、筐体回動部７１ｂの回動軸を貫通するようにネジ部７２ａおよびナット部７２ｂを設けることによって、筐体回動部７１ｂを筐体本体部７１ａから離間せずに回動可能に構成する。これにより、筐体回動部７１ｂは、ネジ部７２ａとナット部７２ｂとが螺合することにより、第１実施形態におけるフック部１１ｃを設けなくても、筐体本体部７１ａから離間せずに回動可能に構成することができる。また、第３実施形態によるイヤホン装置１０２のその他の効果は、第１実施形態におけるイヤホン装置１００と同様である。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１〜第３実施形態では、本発明のＣＰＵ（制御部）およびメモリを携帯電話機器に含む例を示したが、本発明はこれに限られない。たとえば、ＣＰＵ（制御部）およびメモリをイヤホン装置に設けるように構成してもよいし、イヤホン装置とは別個に、ＣＰＵ（制御部）およびメモリを含む本体を設けてもよい。
【００６２】
また、上記第１〜第３実施形態では、本発明の通信部を携帯電話機器に含む例を示したが、本発明はこれに限られない。たとえば、通信部をイヤホン装置に設けるように構成してもよいし、イヤホン装置とは別個に、通信部を含む本体を設けてもよい。
【００６３】
また、上記第１〜第３実施形態では、本発明の放音道部の段階的な位置調整の方法の一例として、リブ部を用いる例を示したが、本発明はこれに限られない。本発明は、リブ部以外を用いて放音道部の段階的な位置調整を行うように構成してもよい。たとえば、筐体回動部および筐体本体部にそれぞれ櫛歯形状の部分を有して、筐体回動部と筐体本体部との接触部分が歯が噛み合わさるように組み立てられるように構成することによって、段階的な位置調整が可能なように構成してもよい。
【００６４】
また、上記第１および第２実施形態では、筐体回動部と筐体本体部とが離間しないための構成の一例として、フック部を設ける例を示したが、本発明はこれに限られない。たとえば、図１１の変形例に示すように、筐体部８１を、筐体回動係合部８１ａおよび筐体本体係合部８１ｂを設けることによって、筐体回動部８１ｃと筐体本体部８１ｄとが離間しないように構成する。
【００６５】
図１１に示すように、第１および第２実施形態における変形例では、筐体部８１は、筐体本体係合部８１ａと、筐体回動係合部８１ｂと、筐体回動部８１ｃと、筐体本体部８１ｄと、筐体本体接触部８１ｅと、筐体回動接触部８１ｆとを含む。そして、筐体本体係合部８１ａは、筐体本体接触部８１ｅから内周側に突出するように形成されており、１対に形成されている。そして、筐体回動係合部８１ｂは、筐体回動接触部８１ｆから上方に突出するように形成されるとともに、突出された部分の一部は、筐体回動接触部８１ｆの外周側にさらに突出するように形成されている。また、筐体回動係合部８１ｂは、１対設けられている。そして、筐体本体部８１ｄに筐体回動部８１ｃを取り付ける場合には、一方の筐体回動係合部８１ｂと他方の筐体回動係合部８１ｂとの間に筐体本体係合部８１ａを通して、筐体本体接触部８１ｅと筐体回動接触部８１ｆとが接触するように取り付けた後に、筐体回動部８１ｄを筐体本体部８１ａに対して相対的に回動（図１１の矢印Ｊ方向）することによって、筐体回動部８１ｃと筐体本体部８１ｄとが離間しないように取り付けられる。
【００６６】
また、上記第１〜第３実施形態では、放音道部と音声選択用端子とが一体的に回動または可動するように構成する例を示したが、本発明はこれに限られない。本発明は、放音道部と音声選択用端子とが一体的に回動または可動しないように構成してもよい。たとえば、放音道部と、左耳音声用端子と、右耳音声用端子とを一体的に回動または可動ように構成することによって、左耳音声用端子と右耳音声用端子とのいずれか一方を音声選択用端子に接続するように構成してもよい。
【符号の説明】
【００６７】
１、６、７  第１イヤホン装置（イヤホン装置）
２  第２イヤホン装置（イヤホン装置）
１１、６１、７１、８１  第１筐体部（筐体部）
１２、６２  第１放音道部（放音道部）
１３、２３  スピーカ
１３ｂ、２３ｂ  音声選択用端子
１４  マイクロホン
１５、２５、６３  左耳音声用端子
１６、２６、６４  右耳音声用端子
２１  第２筐体部（筐体部）
２２  第２放音道部（放音道部）
１００、１０１、１０２  イヤホン装置
【図１】
2015133673.tif 000003
【図２】
2015133673.tif 000004
【図３】
2015133673.tif 000005
【図４】
2015133673.tif 000006
【図５】
2015133673.tif 000007
【図６】
2015133673.tif 000008
【図７】
2015133673.tif 000009
【図８】
2015133673.tif 000010
【図９】
2015133673.tif 000011
【図１０】
2015133673.tif 000012
【図１１】
2015133673.tif 000013